(57)【要約】【課題】壁面、天井、床面等の各種の部分に配置でき、線材の余長線をコンパクトに収納し且つ引き出すことが可能で、ローゼットの取付位置に自由度が持てるようにする。【解決手段】線材Ｌの余長線Ｌ１を長円形状の収納部５の内周壁面に沿ってループ状にして収納可能としたベース板２と、該ベース板２の収納部５内一端側寄りに回転自在に配設され、ベース板２外方への線材Ｌの引っ張りにより収納部５内の余長線Ｌ１を最小半径を保つように巻き込む台形錘状の巻き取りコマ３と、ベース板２の収納部５上側を塞ぐためのカバー４とを備える。【選択図】図４
2008270513.tif 000002
【特許請求の範囲】
【請求項１】
線材の余長線を長円形状の収納部の内周壁面に沿ってループ状にして収納可能としたベース板と、該ベース板の収納部内一端側寄りに回転自在に配設され、ベース板外方への線材の引っ張りにより収納部内の余長線を最小半径を保つように巻き込ませる台形錘状の巻き取りコマと、ベース板の収納部上側を塞ぐためのカバーとを備えてなることを特徴とする余長線収納ボックス。
【請求項２】
収納部の幅員は、線材の最低曲径で決定され、収納量は線材の重ね段数と、巻き取りコマによる線材の巻き取り半径で決定されるものとなっている請求項１記載の余長線収納ボックス。
【請求項３】
収納部は、ベース板の取り付け背面側に前記線材の引き出し高さが同じになるように形成されてなる請求項１または２記載の余長線収納ボックス。
【請求項４】
収納部には、収納された線材の当該収納部外方への乗り上げを防止する爪部を備えた請求項１乃至３のいずれか記載の余長線収納ボックス。
【請求項５】
収納部には、巻き取りコマの位置する近傍の内壁面下端側の一部に重り防止用の出っ張り部分を備えた請求項１乃至４のいずれか記載の余長線収納ボックス。
【発明の詳細な説明】
【技術分野】
【０００１】
本発明は、線材の余長線を収納可能とし、且つ余長線を所望の長さに引き出し可能とした余長線収納ボックスに関する。
【背景技術】
【０００２】
従来、局側より工事された線材の余りである余長線は、局側もしくは利用者側が丸める等の処理をして部屋の適当な場所に放置されている。
【特許文献１】特になし
【発明の開示】
【発明が解決しようとする課題】
【０００３】
しかしながら、従来においては、部屋内部で余長線は大きなリング状に丸め込まれた状態で放置されているため、これに手脚や器具等を引っ掛ける等して非常に危険である。しかも、ＰＣ等の設置箇所の移動等によるローゼットの取付位置の変更により、この丸め込んだ余長線の必要な長さ部分だけを引き出してローゼットに繋ぐ場合、必要な長さ分を調整して引き出すことが難しい上に、余長線が絡まってしまうことがあり、非常に面倒で時間の掛かる作業になるという問題がある。
【０００４】
そこで、本発明は、叙上のような従来存した諸事情に鑑み案出されたもので、壁面、天井、床面等の各種の部分に配置でき、線材の余長線をコンパクトに収納し且つ引き出すことが可能で、工事の失敗やＰＣ等の設置箇所の移動等によるローゼットの取付位置の変更など当該ローゼットの取付位置に自由度が持てるようにすることができる余長線収納ボックスを提供することを目的とする。
【課題を解決するための手段】
【０００５】
上述した課題を解決するため、本発明にあっては、線材の余長線を長円形状の収納部の内周壁面に沿ってループ状にして収納可能としたベース板と、該ベース板の収納部内一端側寄りに回転自在に配設され、ベース板外方への線材の引っ張りにより収納部内の余長線を最小半径を保つように巻き込ませる台形錘状の巻き取りコマと、ベース板の収納部上側を塞ぐためのカバーとを備えてなることを特徴とする。
【０００６】
収納部の幅員は、線材の最低曲径で決定され、収納量は線材の重ね段数と、巻き取りコマによる線材の巻き取り半径で決定されるものとなっている。
【０００７】
収納部は、ベース板の取り付け背面側に前記線材の引き出し高さが同じになるように形成されてなる。
【０００８】
収納部には、収納された線材の当該収納部外方への乗り上げを防止する爪部を備えている。
【０００９】
収納部には、巻き取りコマの位置する近傍の内壁面下端側の一部に重り防止用の出っ張り部分を備えている。
【発明の効果】
【００１０】
本発明によれば、壁面、天井、床面等の各種の部分に配置でき、線材の余長線をコンパクトに収納し且つ引き出すことが可能で、工事の失敗やＰＣ等の設置箇所の移動等によるローゼットの取付位置の変更など当該ローゼットの取付位置に自由度が持てるようにすることができる。
【００１１】
すなわち、本発明は、ベース板外方への線材の引っ張りにより収納部内の余長線を最小半径を保つように巻き込ませる台形錘状の巻き取りコマを備えたので、ベース板の収納部から余長線を所望の長さだけ引き出すことで、離隔位置にあるローゼットに容易に繋ぐことができ、これにより、工事の失敗やＰＣ等の設置箇所の移動等によるローゼットの取付位置の変更など当該ローゼットの取付位置に自由度を付与することができる。
【００１２】
また、収納部の幅員は、線材の最低曲径で決定され、収納量は線材の重ね段数と、巻き取りコマによる線材の巻き取り半径で決定されるものとなっているので、線材の余長線を収納部内にコンパクトに収納することができると同時に、収納部内の余長線を巻き取りコマに最小半径を保つように巻き込ませることができる。
【００１３】
収納部は、ベース板の取り付け背面側に前記線材の引き出し高さが同じになるように形成されてなるので、引き出された線材は、ベース板の取り付け背面が当接する部屋の壁面、天井、床面等に沿って引き出されるものとなり、引き出し後の線材は、壁面、天井、床面等に対して離反した状態とならないことから、線材自体の配設固定が容易となる。
【００１４】
収納部には、収納された線材の当該収納部外方への乗り上げを防止する爪部を備えたので、収納部内への線材の過度な収納による当該線材の歪みや撓み等の損傷を未然に防止することができる。
【００１５】
収納部には、巻き取りコマの位置する近傍の内壁面下端側の一部に重り防止用の出っ張り部分を備えたので、１段目から２段目にかけて余長線を引き出した際に該余長線が１段目に食い込まないようにすることができる。
【発明を実施するための最良の形態】
【００１６】
以下、図面を参照して本発明を実施するための最良の一形態を説明する。
本発明に係る余長線収納ボックス１は、図８に示すように、線材Ｌの余長線Ｌ１をコンパクトに収納し且つ引き出すことが可能とすることで、ローゼットＲの取付位置の変更に自由度が持てるようにしたものであり、図１に示すように、線材Ｌの余長線Ｌ１を収納可能としたベース板２と、該ベース板２外方への線材Ｌの引っ張りにより内部の余長線Ｌ１を最小半径を保つように巻き込ませるための台形錘状の巻き取りコマ３と、ベース板２の上側を塞ぐためのカバー４とから構成されている。
【００１７】
すなわち、図２に示すように、ベース板２の内側には、上側開口による長円形状の収納部５が凹設され、収納部５の上側開口縁部における互いに対向する箇所には、収納された線材Ｌの余長線Ｌ１が当該収納部５の上側開口縁部位置よりも外方へ乗り上げてしまうのを防止するための爪部５ａが突設されている。
【００１８】
さらに、図６に示すように、後述する突起７に回転可能に嵌着された台形錘状の巻き取りコマ３の周面に対向する収納部５内壁面の下端側の一部には、重り防止用の段差状となった出っ張り部分１７を備え、収納部５内の１段目から２段目にかけて余長線Ｌ１を引き出した際に、該余長線Ｌ１が１段目に食い込まないようにしてある。
【００１９】
すなわち、図７（ｄ）に示すように、この重り防止用の出っ張り部分１７が無い場合には、収納された余長線Ｌ１の１段目を引っ張った後で、２段目を引っ張った際には線材Ｌが下方向に行こうとするために１段目に食い込んで引っ張りが阻止されてしまう。
【００２０】
これに対し、図７（ａ）乃至図７（ｃ）に示すように、この重り防止用の出っ張り部分１７の存在によって収納部５の下段側が、巻き取りコマ３の下側において小さくなった外径に対応して狭くなるため、収納された余長線Ｌ１の１段目を引っ張った後で、２段目を引っ張った際においては、このような食い込みが防止されるのである。
【００２１】
また、収納部５の一端側中央には、図４に示すように、局側からの線材Ｌを導入させるために、ベース板２の取り付け壁面（ベース板２の背面側）位置に至る深溝状となったスリット部６を設けてある。
【００２２】
そして、スリット部６の内側には、図５（ｂ）に示すように、スロープ形状に形成された円弧状の収納部側ガイド溝１４に沿わせて線材Ｌの余長線Ｌ１をベース板２の背面側に引き回し配置させるようにしてある。これにより、線材Ｌの挿入側と引き出し側との高さを互いに揃えることができるのである。
【００２３】
さらに、収納部５の背面側には、図４、図５（ａ）、図５（ｃ）、図５（ｄ）に示すように、局側からの線材Ｌを導入させるためのガイドとなるよう長孔状の導入開口部１３ｂを設け、図５（ｄ）に示すように、該導入開口部１３ｂを介して前記収納部側ガイド溝１４に通じる略Ｓ字形蛇行状のガイド溝条部１３を設けてある。このとき、図５（ｄ）に示すように、ガイド溝条部１３の複数箇所には、線材Ｌの飛び出し防止のための係止爪１３ａを設けてある。そして、線材Ｌの余長線Ｌ１は、図２または図７等に示すように、長円形状の収納部５の内周壁面に沿ってループ状にして収納される。
【００２４】
図１乃至図４に示すように、この収納部５の内部における一端側寄りには、スリット部６に対向するように、上側開口部分が内側に撓むよう一対の割溝形状となった円柱状の突起７が立設されており、該突起７には台形錘状の巻き取りコマ３の中央の孔３ａが回転自在に嵌着されている。
【００２５】
このとき、巻き取りコマ３は、図１および図４に示すように、台形錘状が逆倒した状態となって突起７に差し込まれ、これによって巻き取りコマ３の外径が収納部５の内底部から上側開口部に至るに伴って次第に拡径された状態となって配置される。そして、スリット部６からベース板２外方への線材Ｌの引っ張りにより、収納部５内部の余長線Ｌ１を最小半径を保つようにして巻き込ませるものとしている。
【００２６】
さらに、この収納部５の幅員は、線材Ｌの最低曲径で決定されており、また収納部５の収納量は線材Ｌの重ね段数と、巻き取りコマ３による線材Ｌの巻き取り半径によって決定されている。
【００２７】
図２、図３（ｂ）、図６に示すように、前記した突起７の内側とこれに対称となるベース板２の片側位置にはネジ孔８が形成されており、部屋内の所定の位置にベース板２の背面を当接しておいてから当該ベース板２のネジ孔８にネジ９を挿入してねじ込むことによって固定される。
【００２８】
尚、このベース板２は、ネジ９で固定する替わりに、例えば両面粘着テープ等でもって固定しても良い。
【００２９】
また、図１、図２（ａ）、図３（ａ）に示すように、カバー４の長手方向の両端部には、矩形切欠状の溝部１２がそれぞれ一対で合計４つとなって形成されており、該溝部１２位置の内壁面側は爪状の突部（不図示）を設けてある。
【００３０】
これに対応して、図１、図２に示すように、ベース板２の長手方向の両端部には、開口側にガイド溝１５、該ガイド溝１５の下端側に穴部１６それぞれが、互いに一対で合計４つとなって形成されており、ベース板２の収納部５上側をカバー４で塞いだ際には、前記溝部１２内側の突部が、ガイド溝１５に案内されながら穴部１６に弾性的に係架されることでカバー４はベース板２に固定される。
【００３１】
また、ベース板２からカバー４を取り外す際には、ベース板２の外壁面上端側に凹設された溝部１２にドライバー等の工具や爪等で引っ掛けてこじ開ける。
【００３２】
次に、以上のように構成された最良の形態についての組立、使用、動作の一例について説明する。
【００３３】
先ず、図８に示すように、局側からの工事により外部ケーブルＫから分岐された線材Ｌを屋外に設置されている変圧器Ｐを介して余長線収納ボックス１内に収納する。このとき、線材Ｌの余長線Ｌ１は、図２に示すように、ベース板２に設けられた長円形状の収納部５の内周壁面に沿ってループ状にして収納され、線材Ｌの挿入側と引き出し側との高さは、互いに揃えられた状態となる。すなわち、ベース板２の取り付け背面側に線材Ｌの引き出し高さが挿入側と同じになっている。
【００３４】
また、収納部５の爪部５ａによって、収納された線材Ｌの余長線Ｌ１が当該収納部５の上側開口縁部位置よりも外方へ乗り上げてしまうのを防止している。しかも、図７に示すように、収納部５内においては、巻き取りコマ３を支持する突起７が位置する近傍の内壁面の出っ張り部分１７が、収納された余長線Ｌ１の重りを防止している。
【００３５】
ＰＣ等の各種電気機器Ｓの設置場所が決定されるのに伴い、ローゼットＲの位置が決定される。そして、局側作業において、余長線収納ボックス１から余長線Ｌ１を引き出し、ローゼットＲに繋げる（図８参照）。
【００３６】
このとき、余長線Ｌ１は、図４（ａ）および図４（ｂ）に示すように、全てが収納部５の内周にループ状となって巻き込まれている状態から、図４（ｃ）および図４（ｄ）に示すように、ベース板２外方への線材Ｌの引っ張りにより内部の余長線Ｌ１を最小半径を保つようにして、巻き取りコマ３の下段から順次上段に向けて巻き付いて行く。そして、図４（ｅ）および図４（ｆ）に示すように、巻き取りコマ３に全ての余長線Ｌ１が巻き取られた状態となる。
【００３７】
そして、利用者側において、ＰＣ等の各種電気機器ＳとローゼットＲとの接続を行う（図８参照）。このようにして、例えば工事の失敗やＰＣ等の各種電気機器Ｓの設置箇所の移動等によって、ローゼットの取付位置が変更された場合でも、余長線収納ボックス１内から余長線Ｌ１を引き出すことで、これに十分に対処することができるのである。
【図面の簡単な説明】
【００３８】
【図１】本発明を実施するための最良の形態における余長線収納ボックスの分解斜視図である。
【図２】同じく余長線収納ボックスの組み付け例を示し、（ａ）は部屋内にベース板をネジで取り付け後、ベース板にカバーを取り付ける状態の斜視図である。（ｂ）は部屋内にベース板をネジで取り付ける状態の平面図である。
【図３】同じく余長線収納ボックスの組立状態を示すもので、（ａ）は組立後の斜視図、（ｂ）は（ａ）のＡ−Ａ部分の断面図、（ｃ）は（ｂ）のＢ−Ｂ部分の断面図である。
【図４】同じく収納部に収納された余長線をベース板外方に引き出す動作を示すもので、（ａ）は余長線を全て収納部内周に巻き込み収納した状態の斜視図、（ｂ）は（ａ）のＣ−Ｃ断面図、（ｃ）は余長線を収納部から外方へ引き出している状態の斜視図、（ｄ）は（ｃ）のＤ−Ｄ断面図、（ｅ）は余長線を全て巻き取りコマに巻き取った状態の斜視図、（ｆ）は（ｅ）のＥ−Ｅ断面図である。
【図５】同じく余長線収納ボックスへの余長線の収納例を示すもので、（ａ）は平面図、（ｂ）は（ａ）のＦ−Ｆ断面図、（ｃ）は側面図、（ｄ）は背面図である。
【図６】同じく収納部内の壁面に重り防止用の出っ張り部分を設けた例を示すもので、（ａ）は平面図、（ｂ）は（ａ）のＧ−Ｇ断面図である。
【図７】同じく重り防止用の出っ張り部分の作用を示すもので、（ａ）は全ての余長線を収納した状態の縦断面図、（ｂ）は１番下の段にある余長線を引っ張った状態の縦断面図、（ｃ）は更に２段目の余長線を引っ張った状態の縦断面図、（ｄ）は重り防止用の出っ張り部分が無い場合の線材に対する作用を示す縦断面図である。
【図８】同じく余長線収納ボックスの設置例を示す斜視図である。
【符号の説明】
【００３９】
Ｌ      線材
Ｌ１    余長線
Ｒ      ローゼット
Ｓ      各種電気機器
Ｋ      外部ケーブル
Ｐ      変圧器
１      余長線収納ボックス
２      ベース板
３      巻き取りコマ
３ａ    孔
４      カバー
５      収納部
５ａ    爪部
６      スリット部
７      突起
８      ネジ孔
９      ネジ
１２    溝部
１３    ガイド溝条部
１３ａ  係止爪
１３ｂ  導入開口部
１４    収納部側ガイド溝
１５    ガイド溝
１６    穴部
１７    出っ張り部分
【図１】
2008270513.tif 000003
【図２】
2008270513.tif 000004
【図３】
2008270513.tif 000005
【図４】
2008270513.tif 000006
【図５】
2008270513.tif 000007
【図６】
2008270513.tif 000008
【図７】
2008270513.tif 000009
【図８】
2008270513.tif 000010